(57)【特許請求の範囲】
【請求項１】
机等の側面に、ローパーティションを取り付ける机等とローパーティションとの連結構造において、
前記机等の一側部の下端に設けられた高さ調整用のアジャスタボルトまたは脚と床面との間に、ベース部材の一端部を敷き込み、前記机等の外側方に引き出したベース部材の他端部に起立片を設け、開口部が上方を向く正面視上向コ字状のローパーティション嵌合部材における一方の側片と底片とに、前記ベース部材の起立片が嵌合しうる切欠きを設け、前記ローパーティション嵌合部材の前後の向きを垂直軸回りに反転させて、他方の側片における前記切欠きに対応する部分を、前記ベース部材の起立片の側面に当接させて取り付けることにより、前記アジャスタボルトまたは脚からローパーティション嵌合部材までの距離を変更可能として、前記ローパーティション嵌合部材をベース部材に取り付け、かつ前記ローパーティション嵌合部材に、ローパーティションにおける下端開口を嵌合して、ローパーティションの下端を支持するようにしたことを特徴とする机等とローパーティションとの連結構造。
【請求項２】
ベース部材の前記一端の上側に、開口部が他端側を向くコ字状折曲部を設け、これをアジャスタボルトまたは脚の下端部に係合させた請求項１記載の机等とローパーティションとの連結構造。
【請求項３】
ローパーティションの中位部を、机の側面に係止させた請求項１または２記載の机等とローパーティションとの連結構造。
【請求項４】
ローパーティションの水平方向の長さとほぼ等しい長さを有する帯ブラケットを机等の側面上部に取り付け、前記帯ブラケットにおける直角に折り曲げた両端部の先端に形成した上向きの係止フックを、前記ローパーティションの両端縁に上下方向に向けて列設した一連の係止孔のいずれかに係止させた請求項３記載の机等とローパーティションとの連結構造。
【発明の詳細な説明】
【０００１】
【発明の属する技術分野】
本発明は、事務机、キャビネット、テーブルなどの側面に、ローパーティションを連結する連結構造に関する。
【０００２】
【従来の技術】
従来のこの種の連結構造として、例えば、特開平１０ー７７７０８号公報に記載の連結装置がある。
この連結装置では、ローパーティションの下端を、外付けの取付金具により床面にねじ止めしていた。
【０００３】
【発明が解決しようとする課題】
上述の床面への固定手段は確実ではあるが、その取付作業が面倒であり、しかも取付金具が露出しており、外見上も見苦しい。
【０００４】
本発明は、上述の問題点に鑑み、机の側面に連結するローパーティションの下端を、体裁良く、簡単かつ確実に固定することを目的としている。
【０００５】
【課題を解決するための手段】
本発明によると、上記課題は、次のようにして解決される。
（１）机等の側面に、ローパーティションを取り付ける机等とローパーティションとの連結構造において、前記机等の一側部の下端に設けられた高さ調整用のアジャスタボルトまたは脚と床面との間に、ベース部材の一端部を敷き込み、前記机等の外側方に引き出したベース部材の他端部に起立片を設け、開口部が上方を向く正面視上向コ字状のローパーティション嵌合部材における一方の側片と底片とに、前記ベース部材の起立片が嵌合しうる切欠きを設け、前記ローパーティション嵌合部材の前後の向きを垂直軸回りに反転させて、他方の側片における前記切欠きに対応する部分を、前記ベース部材の起立片の側面に当接させて取り付けることにより、前記アジャスタボルトまたは脚からローパーティション嵌合部材までの距離を変更可能として、前記ローパーティション嵌合部材をベース部材に取り付け、かつ前記ローパーティション嵌合部材に、ローパーティションにおける下端開口を嵌合して、ローパーティションの下端を支持するようにする。
【０００６】
（２）上記(１)項において、ベース部材の前記一端の上側に、開口部が他端側を向くコ字状折曲部を設け、これをアジャスタボルトまたは脚の下端部に係合させる。
【０００７】
（３）上記(１)または(２)項において、ローパーティションの中位部を、机の側面に係止させる。
【０００８】
（４）上記(３)項において、ローパーティションの水平方向の長さとほぼ等しい長さを有する帯ブラケットを机等の側面上部に取り付け、前記帯ブラケットにおける直角に折り曲げた両端部の先端に形成した上向きの係止フックを、前記ローパーティションの両端縁に上下方向に向けて列設した一連の係止孔のいずれかに係止させる。
【０００９】
【発明の実施の形態】
以下、本発明の一実施例を、添付図面を参照して説明する。
【００１０】
図１に示す実施形態では、片袖机(１)の袖側にローパーティション(２)が取り付けられている。図２に示すように、ローパーティション(２)は、帯ブラケット(３)及び下部ガイド部材(４)により片袖机(１)に取り付けられる。
【００１１】
ローパーティション(２)は、左右両側面（机の左右方向）に、複数の係止孔(５)が上下方向に向けて一列に列設された鋼製の縦枠(６)を備え、水平方向の長さは、片袖机(１)の前後方向の長さよりも若干長めとしてある。
【００１２】
下部ガイド部材(４)は、片袖机(１)の袖箱(1b)の下端に設けられた不陸調整用のアジャスタボルト(28)（図９）を確保し、ローパーティション(２)の下部巾木(2a)の下端開口に嵌合するもので、これについては後で詳述する。
【００１３】
帯ブラケット(３)は、鋼板を折り曲げて形成したもので、図３に示すように、その両端が外向きに直角に折り曲げられ、折り曲げ部(７)の先端には、前述の縦枠(６)の係止孔(５)に係合しうる上向きフック(８)が複数個設けられている。
【００１４】
図示の例では、上部の２個の上向きフック(８)の間隔は、係止孔(５)のピッチと同一とし、上方から２個目と３個目との間の間隔は、係止孔(５)のピッチの２倍とし、その中間位置における折り曲げ部(７)は、切欠き(7a)が形成されている。この切欠き(7a)に対応する帯ブラケットの本体部(3a)側には、ねじ孔(９)が穿設されている。
【００１５】
帯ブラケット(３)の上下端縁は、外向きに折り返されており、上部折り返し部(3b)及び下部折り返し部(3c)を形成している。
【００１６】
図３及び図４に示すように、上部折り返し部(3b)の上端部から、本体部(3a)を経てそのやや下方にかけては、それらの左右の両端部付近に、いくつかの角形の切欠き(10)が形成されている。上部折り返し部(3b)と本体部(3a)との間には、鋼板製の補強板(11)が挟入され、スポット溶接により両者に固着されている。上部折り返し部(3b)における上述の切欠き(10)の直下には、水平方向に並ぶ２個のねじ孔(12)が穿設されており、それらに整合する補強板(11)の部分には、各ねじ孔(12)に螺合するねじ(13)が挿通する通孔(14)が穿設されている。
【００１７】
切欠き(10)には、中間部がクランク状に折曲された取付片(15)の下半部が嵌合され、取付片(15)は、上記の２個のねじ(13)(13)をもって、帯ブラケット(３)に螺着されている。
取付片(15)の上部には、水平方向に並ぶ２個の取付孔(16)(16)が設けられている。
【００１８】
机(１)の天板(1a)の側面には、補助具接続部(17)が設けられ、カバー(18)（図２及び図４）により覆われている。
【００１９】
図４に示すように、カバー(18)を取り去り、補助具接続部(17)における取付ねじ孔(19)を利用して、取付片(15)の上部の取付孔(16)を挿通したねじ(20)を螺合することにより、取付片(15)は、天板(1a)に固着されている。
【００２０】
図５は、このようにして机(１)に取り付けた帯ブラケット(３)を、ローパーティション(２)に取り付けた状態を示しており、図６は、ローパーティション(２)に取り付けた帯ブラケット(３)を外れ止めする外れ止め手段(21)を示している。
【００２１】
図６に示すように、外れ止め手段(21)は、個の例では、Ｌ字形の鋼片からなる外れ止め片(22)とねじ(23)とからなっている。外れ止め片(18)は、縦枠(６)における１個の係止孔(５)の上下方向の長さと同じ上下方向長さを有している。外れ止め片(22)は、その長い方の腕を、帯ブラケット(３)における同様の上下方向の長さとした切欠き部(7a)及び縦枠(６)の係止孔(５)に挿入して、ねじ(23)を、帯ブラケット(３)の本体部(3a)のねじ孔(９)に螺着することにより装着されている。
【００２２】
図７〜図１２は、ローパーティション(２)の下端部を固定する前述の下部ガイド部材(４)の詳細を説明する図である。
【００２３】
図７に示すように、下部ガイド部材(４)を構成するローパーティション嵌合部材(24)は、互いに対向するほぼＬ字状とした２個の鋼板の短片同士を上下に重ねて溶接したものよりなり、重合する２枚の短片により形成された底片(24a)と、その両側縁から起立する側片(24b)(24b)と、両側片(24b)(24b)の上端に連設された内向き傾斜片(24c)(24c)とを備えている。
【００２４】
両側片(24b)(24b)の外面間の寸法は、ローパーティション(２)の下部巾木(2a)の下端開口の内側面間の間隔とほぼ同一としてある。
【００２５】
一方の側片(24b)の下部中央と底片(24a)の中央とには、方形の切欠き(25)が設けられており、他方の側片(24b)の中央下部には、水平方向に並ぶ２個の取付孔(26)が穿設されている。
【００２６】
図８に示すように、ベース部材(27)は、鋼板を折り曲げて形成した部材で、その基片(27a)の一端の上側には、開口部が他端側を向くコ字状折曲部(27b)が形成されており、これによって、基片(27a)上に載置した机(１)の下端における高さ調整用のアジャスタボルト(28)の内端部と係合しうるようになっている（図１０参照）。
【００２７】
基片(27a)の他端部中央には、方形の切欠き(29)が設けられ、それによって基片(27a)の他端部は二股に分かれ、それらの先端には、起立片(27c)(27c)がそれぞれ設けられ、各起立片(27c)には、上述の２個の取付孔(26)に対応する２個のねじ孔(30)が穿設されている。
【００２８】
図９及び図１０に示すように、ベース部材(27)は、そのコ字状折曲部(27b)がアジャスタボルト(28)の内端部に係合するようにして、その基片(27a)がアジャスタボルト(28)の下方に敷き込まれる。
【００２９】
アジャスタボルト(28)の下方から、机(１)の外側方に引き出した基片(27a)の二股状の先端における前後いずれかの起立片(27c)の外側には、ローパーティション嵌合部材(24)における取付孔(26)が設けられた方の側片(24b)の中央部が当接させられ、各取付孔(26)に挿通したねじ(31)をねじ孔(30)に螺合することにより、ローパーティション嵌合部材(24)が起立片(27c)に固着される。
この時のねじ止め作業は、外側の側片(24b)に設けられた方形の切欠き(25)を通して行なわれる。
【００３０】
図９及び図１０には、机(１)の袖箱(1b)の下端に設けられたアジャスタボルト(28)に、ベース部材(27)を敷き込む場合を示したが、図１１及び図１２に示すように、机(１)における側脚(1c)の下端に設けられたアジャスタボルト(28)のように、その中心から机(１)の側端までの距離が短い場合は、ローパーティション嵌合部材(24)を、図９に示す向きより垂直軸まわりに１８０度反転させて、底片(24a)の中央における切欠き(25)が、基片(27a)における二股となった部分の一方に嵌合し、かつその先端の起立片(27c)が、外側となった側片(24b)の内面に当接するようにして、基片(27a)の一部に上方より跨嵌し、ねじ(31)を、外側の側片(24b)の取付孔(26)を通して、起立片(27c)に設けられたねじ孔(30)に螺合することによって、ローパーティション嵌合部材(24)を、ベース部材(27)に、図９に示すものより内方寄りに取り付けるのがよい。
【００３１】
次に、机(１)とローパーティション(２)との連結の手順を述べると次の通りである。
まず、図３に示すように、帯ブラケット(３)の上端部の複数箇所に取付片(15)を取り付ける。ついで、図４に示すように机(１)の天板(1a)の側面に設けたカバー(18)を一旦取り外し、露出した取付ねじ孔(19)を利用して、ねじ(20)により取付片(15)、結果として帯ブラケット(３)を机(１)に取り付ける。
【００３２】
次ぎに、図９または図１１に示すようにして、机(１)の下端のアジャスタボルト(28)に、下部ガイド部材(４)を取り付ける。この状態を、図２に示してある。
【００３３】
次いで、ローパーティション(２)を持ち上げて、その両側の縦枠(６)における任意の係止孔(５)を帯ブラケット(３)の両端の上向きフック(８)に挿入し、ローパーティション(２)を下方に落ちつけるとともに、それと同時かまたは相前後して、ローパーティション(２)の下端開口を、下部ガイド部材(４)におけるローパーティション嵌合部材(24)に嵌合する。このようにすれば、図５に示すように、机(１)にローパーティション(２)が取り付けられる。
【００３４】
最後に、図５及び図６に示すように、外れ止め片(22)を帯ブラケット(３)の裏面から縦枠(６)のいずれかの係合孔(５)に挿入して、ねじ(23)により帯ブラケット(３)に止め付ければ、帯ブラケット(３)が上方に浮き上がってローパーティション(２)から外れることが防止される。
【００３５】
なお、上述の実施形態においては、下部ガイド部材(４)におけるベース部材(27)を、アジャスタボルト(28)と床面との殿間に敷き込むようにしたが、このようなアジャスタボルト(28)を備えない机においては、脚の下端と床面との間に敷き込んで実施してもよい。
【００３６】
【発明の効果】
請求項１記載の発明によると、予めローパーティション嵌合部材を取り付けておいたベース部材を机のアジャスタボルトまたは脚と床面との間に敷き込んでおき、ローパーティションの下端開口を、ローパーティション嵌合部材に嵌合するだけで机の側面に取り付けられるローパーティションの下端を、体裁よく、しかも簡単かつ確実に固定することができる。
また、ローパーティション嵌合部材を、前後の向きを変えてベース部材に取り付けるだけで、机におけるアジャスタボルトまたは脚からローパーティション嵌合部材までの距離を簡単に変えることができるので、アジャスタボルトまたは脚から机の側面までの距離が机の左右で異なる片袖机等に適用するのに好都合である。
【００３７】
請求項２記載の発明によると、ベース部材を机のアジャスタボルトまたは脚に係合させることにより、ベース部材の位置ずれ等を確実に防止することができる。
【００３８】
請求項３記載の発明によると、ローパーティションを、下端部と中位部との上下２個所で机の側面に取り付けるので、支持が安定し、ローパーティションの傾倒を確実に防止するとができる。
【００３９】
請求項４記載の発明によると、帯ブラケットを机の側面に取り付けた後、ローパーティションを帯ブラケットの係止フックに係止させることにより、ローパーティションを机に簡単に取り付けることができ、しかも係止フックに係止させる作業と、ローパーティションの下端開口を下部ガイド部材に嵌合させる作業をほぼ同時に行なうことができる。
【図面の簡単な説明】
【図１】  本発明の連結構造を適用して連結した机とローパーティションの斜視図である。
【図２】  同じく、机とそれから分離したローパーティションとを示す部分拡大分解斜視図である。
【図３】  同じく、机とローパーティションとの連結に用いる帯ブラケットの斜視図である。
【図４】  同じく、机と帯ブラケットとを取付片により結合する状態を説明する部分拡大分解斜視図である。
【図５】  同じく、帯ブラケットにより連結した机とローパーティションとを、机側から見た部分斜視図である。
【図６】  同じく、図５の一部分を拡大して示す斜視図で、帯ブラケットの外れ止め手段を説明する図である。
【図７】  同じく、ローパーティションの下端部を固定する下部がガイド部材におけるローパーティション嵌合部材の拡大斜視図である。
【図８】  同じく、下部ガイド部材におけるアジャスタ係合部材の拡大斜視図である。
【図９】  同じく、下部ガイド部材を机の袖箱下のアジャスタに取り付ける状態を示す斜視図である。
【図１０】  同じく、取り付けた状態を示す部分縦断正面図である。
【図１１】  同じく、下部ガイド部材を他のアジャスタに取り付ける状態を示す斜視図である。
【図１２】  同じく、取り付けた状態を示す部分縦断正面図である。
【符号の説明】
(１)片袖机（机）
(1a)天板
(1b)袖箱
(1c)側脚
(２)ローパーティション
(2a)下部巾木
(３)帯ブラケット
(3a)本体部
(3b)上部折り返し部
(3c)下部折り返し部
(４)下部ガイド部材
(５)係止孔
(６)縦枠
(７)折り曲げ部
(7a)切欠き
(８)上向きフック
(９)ねじ孔
(10)切欠き
(11)補強板
(12)ねじ孔
(13)ねじ
(14)通孔
(15)取付片
(16)取付孔
(17)補助具接続部
(18)カバー
(19)取付ねじ孔
(20)ねじ
(21)外れ止め手段
(22)外れ止め片
(23)ねじ
(24)ローパーティション嵌合部材
(24a)底片
(24b)側片
(24c)内向き傾斜片
(25)切欠き
(26)取付孔
(27)ベース部材
(27a)基片
(27b)コ字状折曲部
(27c)起立片
(28)アジャスタボルト
(29)切欠き
(30)ねじ孔
(31)ねじ
【図１】
0004002454.tif 000002
【図２】
0004002454.tif 000003
【図３】
0004002454.tif 000004
【図４】
0004002454.tif 000005
【図５】
0004002454.tif 000006
【図６】
0004002454.tif 000007
【図７】
0004002454.tif 000008
【図８】
0004002454.tif 000009
【図９】
0004002454.tif 000010
【図１０】
0004002454.tif 000011
【図１１】
0004002454.tif 000012
【図１２】
0004002454.tif 000013